(57)【要約】      （修正有）【課題】無線装置で勝手に送りつけられて来るＩＰパケットを受信することの影響を軽減するための方法および装置。【解決手段】早めに休止状態を開始するため、無線装置は無線ネットワークからＩＰパケットを受信し、この受信ＩＰパケットが勝手に送りつけられて来るＩＰパケットかどうかを決定する。受信ＩＰパケットが無線装置を休止状態から再活性化させるか、または無線装置で走行中のアプリケーションまたはサービスに引き渡されなければ、勝手に送りつけられて来るＩＰパケットが宣言される。受信ＩＰパケットが勝手に送りつけられて来るＩＰパケットであると思われ、および他のいずれのイベントも休止状態への移行を妨げないならば、無線装置は早めに休止状態に移行する。無線装置は勝手に送りつけられて来るＩＰパケットが検出されるならば所定の持続時間の間静止タイマのための短縮値を、およびその後は静止タイマのための公称値を使用できる。【選択図】図４
2011176859.tif 000002
【特許請求の範囲】
【請求項１】
無線ネットワークからパケットを受信するように動作するプロセッサと、および
前記受信パケットが前記無線ネットワークから要求されない勝手に送りつけられて来るパケットであるかどうかを決定し、および前記受信パケットが勝手に送りつけられて来るパケットであるとみなされる場合、早めに休止状態への移行を開始するように動作するコントローラと、
を含む無線装置。
【請求項２】
前記受信パケットが休止状態からの移行を引き起こす場合、前記コントローラは、前記受信パケットが勝手に送りつけられて来るパケットであると宣言するように動作する、請求項１記載の無線装置。
【請求項３】
前記受信パケットが前記無線装置において実行中のアプリケーションまたはサービスに引き渡されない場合、前記コントローラは、前記受信パケットが勝手に送りつけられて来るパケットであると宣言するように動作する、請求項１記載の無線装置。
【請求項４】
前記受信パケットが無応答または拒絶応答という結果になる場合、前記コントローラは、前記受信パケットが勝手に送りつけられて来るパケットであると宣言するように動作する、請求項１記載の無線装置。
【請求項５】
次のデータ交換が、もしあるならば、所定の持続時間より短いとみなされる場合、前記コントローラは、前記受信パケットが勝手に送りつけられて来るパケットであると宣言するように動作する、請求項１記載の無線装置。
【請求項６】
前記受信パケットが勝手に送りつけられて来るパケットであり、および静止タイマの終了時に休止状態への移行を開始するとみなされる場合、前記コントローラは、前記静止タイマを短縮値にリセットするように動作する、請求項１記載の無線装置。
【請求項７】
前記受信パケットが勝手に送りつけられて来るパケットであり、および静止タイマの終了時に休止状態への移行を開始することはないとみなされる場合、前記コントローラは、前記静止タイマを所定の値にリセットするように動作する、請求項１記載の無線装置。
【請求項８】
無線ネットワークからパケットを受信することと、
前記受信パケットが前記無線ネットワークから要求されない勝手に送りつけられて来るパケットであるかどうかを決定することと、および
前記受信パケットが勝手に送りつけられて来るパケットであるとみなされる場合、早めに休止状態に移行することと
を含む方法。
【請求項９】
前記受信パケットが勝手に送りつけられて来るパケットであるかどうかを前記決定することは、
前記受信パケットが休止状態からの移行を引き起こす場合、前記受信パケットが勝手に送りつけられて来るパケットであると宣言することを含む、請求項８記載の方法。
【請求項１０】
前記受信パケットが勝手に送りつけられて来るパケットであるかどうかを前記決定することは、
前記受信パケットがアプリケーションまたはサービスに引き渡されない場合、前記受信パケットが勝手に送りつけられて来るパケットであると宣言することを含む、請求項８記載の方法。
【請求項１１】
前記受信パケットが勝手に送りつけられて来るパケットであるとみなされる場合、静止タイマを短縮値にリセットすることと、および
前記静止タイマの終了時に休止状態に移行することと
をさらに含む請求項８記載の方法。
【請求項１２】
無線ネットワークからパケットを受信するための手段と、
前記受信パケットが前記無線ネットワークから要求されない勝手に送りつけられて来るパケットであるかどうかを決定するための手段と、および
前記受信パケットが勝手に送りつけられて来るパケットであるとみなされる場合、早めに休止状態に移行するための手段と
を含む装置。
【請求項１３】
前記受信パケットが休止状態からの移行を引き起こす場合、前記受信パケットが勝手に送りつけられて来るパケットであると宣言するための手段をさらに含む請求項１２記載の装置。
【請求項１４】
前記受信パケットがアプリケーションまたはサービスに引き渡されない場合、前記受信パケットが勝手に送りつけられて来るパケットであると宣言するための手段をさらに含む請求項１２記載の装置。
【請求項１５】
前記受信パケットが勝手に送りつけられて来るパケットであるとみなされる場合、静止タイマを短縮値にリセットするための手段と、および
前記静止タイマの終了時に休止状態に移行するための手段と
を含む請求項１２記載の装置。
【請求項１６】
無線ネットワークからの受信パケットが前記無線ネットワークから要求されない勝手に送りつけられて来るパケットであるかどうかを決定する動作、および
前記受信パケットが勝手に送りつけられて来るパケットであるとみなされる場合、早めに休止状態への移行を開始する動作
を無線装置内で行うことができる命令を蓄積するためのプロセッサ可読媒体。
【請求項１７】
前記受信パケットが勝手に送りつけられて来るパケットであるとみなされる場合、静止タイマを短縮値にリセットする動作、および
前記静止タイマの終了時に休止状態への移行を開始する動作
を実行可能な命令をさらに蓄積するための請求項１６記載のプロセッサ可読媒体。
【請求項１８】
無線ネットワークからパケットを受信する動作を行うプロセッサと、および
前記受信パケットが無線ネットワークから勝手に送りつけられて来るパケットであるかどうかを決定する動作、前記受信パケットが勝手に送りつけられて来るパケットであるとみなされる場合、所定の持続時間の間静止タイマのために第１のタイマ値を使用する動作、および、前記所定の持続時間の後に前記静止タイマのために第２のタイマ値を使用する動作を行うコントローラと
を含む無線装置。
【請求項１９】
前記コントローラは、前記所定の持続時間の間に受信された各パケットについて前記静止タイマを前記第１のタイマ値にリセットする動作を行う、請求項１８記載の装置。
【請求項２０】
前記コントローラは、前記所定の持続時間の後に受信された各パケットについて前記静止タイマを前記第２のタイマ値にリセットする動作を行う、請求項１８記載の装置。
【請求項２１】
前記所定の持続時間は、前記第１のタイマ値または前記第２のタイマ値に等しい、請求項１８記載の装置。
【請求項２２】
前記コントローラは、前記静止タイマの終了時に休止状態への移行を開始する動作を行う、請求項１８記載装置。
【請求項２３】
前記第１のタイマ値は、設定可能である、請求項１８記載の装置。
【請求項２４】
受信パケットが無線ネットワークから要求されない勝手に送りつけられて来るパケットであるかどうかを決定することと、
前記受信パケットが勝手に送りつけられて来るパケットであるとみなされる場合、静止タイマのために第１のタイマ値を使用することと、ここにおいて、前記第１のタイマ値は、所定の持続時間のために使用される、および
前記所定の持続時間の後に前記静止タイマのために第２のタイマ値を使用することと
を含む方法。
【請求項２５】
前記所定の持続時間の間に受信された各パケットについて前記静止タイマを前記第１のタイマ値にリセットすることをさらに含む、請求項２４記載の方法。
【請求項２６】
前記所定の持続時間の後に受信された各パケットについて前記静止タイマを前記第２のタイマ値にリセットすることをさらに含む、請求項２４記載の方法。
【請求項２７】
前記所定の持続時間は、前記第１のタイマ値または前記第２のタイマ値に等しい、請求項２４記載の方法。
【請求項２８】
前記静止タイマの終了時に休止状態に移行することをさらに含む、請求項２４記載の方法。
【発明の詳細な説明】
【関連出願の参照】
【０００１】
この出願は２００４年１１月２２日提出の米国仮出願番号第６０／６３０，２６０号、タイトル“移動局で勝手に送りつけられて来るＩＰパケットを受信することの影響を低減するための方法（Ｍｅｔｈｏｄ  ｆｏｒ  Ｒｅｄｕｃｉｎｇ  ｔｈｅ  Ｉｍｐａｃｔ  ｏｆ  Ｒｅｃｅｉｖｉｎｇ  Ｕｎｓｏｌｉｃｉｔｅｄ  ＩＰ  Ｐａｃｋｅｔ  ｏｎ  ａ  Ｍｏｂｉｌｅ  Ｓｔａｔｉｏｎ）”の恩恵を主張し、本出願の譲受人に譲渡され、およびすべての目的のためのそれの全体における引用によってこの中に組み込まれる。
【技術分野】
【０００２】
本開示は一般に通信に関し、およびより詳しくは無線装置でインターネットプロトコル（ＩＰ）パケットを処理するための技術に関する。
【背景技術】
【０００３】
無線通信ネットワークは音声、パケットデータ、等のようないろいろな通信サービスを提供するために広く展開される。無線装置は無線ネットワークによって使用されるエアリンクインターフェイス上でＩＰを使用することによって無線ネットワークからデータサービスを得ることができる。無線装置はネットワークエンティティとデータセッションを確立でき、およびインターネットまたは何か他のネットワークを介して無線ネットワークに連結された他のエンティティとデータを交換できる。
【０００４】
無線装置はデータセッションの間の任意の与えられた時期にアクティブ状態または休止状態で運用できる。無線装置は延長時間の間オープンされ得るデータセッション中の一部の時間の間だけアクティブであってもよい。例えば、無線装置はショートバースト中のパケットデータを送信および／または受信してもよく、およびこれらのデータバースト中の大部分の時間中休止状態に止まってもよい。休止状態はその中ではデータセッションは開催されるが無線資源は解放されるシナリオを指す。セルラホンのような携帯型装置にとって重要である、電池パワーを保護するために、無線装置は休止状態の間中できるだけ多くの回路をパワーダウンすることができる。無線装置は（１）着呼またはパケットデータの存在について無線装置に注意を喚起するページメッセージおよび（２）無線装置に関するシステムおよび他の情報を運ぶ一般メッセージを受信するために周期的にウェイクアップするだけでよい。
【０００５】
無線装置は休止状態の間中無線ネットワークから勝手に送りつけられて来るＩＰパケットを受信することができる。勝手に送りつけられて来るＩＰパケットはこの無線装置によって要求されない、およびさらにこの無線装置で走行中の類似のアプリケーションまたはサービスを持たないＩＰパケットとして定義されることができる。休止状態中のＩＰパケットの受信は典型的に無線装置に無線ネットワークとのトラフィックチャネルを再確立させ、およびある期間の間アクティブ状態に止まらせる。もしも受信ＩＰパケットが勝手に送りつけられて来るＩＰパケットであれば、その時無線装置は典型的にＩＰパケットを中断しおよび／またはリセットパケットを送り、およびさらなるアクションは取らない。勝手に送りつけられて来るＩＰパケットは無線ネットワークとのデータの交換を駆動させない。その代わりに、トラフィックチャネルは確立されるがデータを交換するために使用されないので、勝手に送りつけられて来るＩＰパケットはシステム資源を浪費する。および無線装置がターンオンされ、およびこのＩＰパケットを受信する結果として無線通信の準備をするので、勝手に送りつけられて来るＩＰパケットはさらに電池パワーを消費し、待機時間を短縮する。
【０００６】
したがってこのこの分野には勝手に送りつけられて来るＩＰパケットを受信することの影響を軽減するための技術について必要性がある。
【発明の概要】
【０００７】
勝手に送りつけられて来るＩＰパケットを識別し、無線装置で早めに休止状態を開始するための技術がこの中に記述される。１局面では、もしもこの受信ＩＰパケットが（１）無線装置に休止状態から再活性化させる（例えば、休止状態からアクティブ状態への移行）、（２）無線装置で走行中のアプリケーションまたはサービスに引き渡されない、（３）無線装置によって無応答または単一の“拒絶”応答という結果になる、または（４）何か他の条件または基準を満足するならば、無線装置で受信されたＩＰパケットは勝手に送りつけられて来るＩＰパケットであるとみなされることができる。
【０００８】
もう１つの局面では、無線装置は勝手に送りつけられて来るＩＰパケットについて早めに休止状態を開始する。無線装置は無線ネットワークからＩＰパケットを受信して、この受信ＩＰパケットが勝手に送りつけられて来るＩＰパケットであるかどうかを決定する。もしも受信ＩＰパケットが勝手に送りつけられて来るＩＰパケットであると思われ、および他のいずれのイベントも休止状態への移行を妨げないならば無線装置は早めに休止状態に移行する。
【０００９】
無線装置は早めに休止状態に移行するためのいろいろな機構を使用することができる。例えば、無線装置はデータセッションの間中アクティブ状態にあると同時に静止タイマを維持する。無線装置はＩＰパケットを受信または送信時に静止タイマをリセットすることができ、および静止タイマの終了時に休止状態に移行することができる。静止タイマは勝手に送りつけられて来るＩＰパケットの影響を軽減するために複数のタイマ値で運用されてもよい。１実施形態では、休止状態からの再活性化を引き起こす受信ＩＰパケットは勝手に送りつけられて来るＩＰパケットであると思われ、および所定の持続時間の間静止タイマのために短縮値(shortened  value)の使用という結果になる。公称値はこの持続時間の後に静止タイマのために使用される。もしも再活性化が勝手に送りつけられて来るＩＰパケットによるものであったならばこの短縮値は無線装置を早めに休止状態に行かせる。
【００１０】
この発明のいろいろな局面および実施形態がさらに下に記述される。
【図面の簡単な説明】
【００１１】
【図１】典型的な無線展開を示す図。
【図２】典型的なプロトコルスタックを示す図。
【図３】無線装置の１実施形態を示す図。
【図４】勝手に送りつけられて来るＩＰパケットについて早めに休止状態に移行するための手順を示す図。
【図５】静止タイマのための２つの値の使用状態を示す図。
【図６】静止タイマを複数の値で運用するための手順を示す図。
【図７】静止タイマを選択的にリセットするための手順を示す図。
【図８】無線装置を示すブロック図。
【発明の詳細な説明】
【００１２】
本発明の特徴および性質は全体を通して付記される参照符号を有する図面とともに、下に述べる詳細説明からさらに明白になるであろう。
【００１３】
術語“典型的な”は“一例、事例、または実例として機能すること”を意味すべくこの中で使用されている。この中で“典型的な”として記述された任意の実施形態または構成は必ずしも他の実施形態または構成以上に好ましいとか有利であると解釈されるべきではない。
【００１４】
勝手に送りつけられて来るＩＰパケットを識別するためにおよび早めに休止状態を開始するためにこの中に記述された技術はいろいろな無線ネットワークのために使用されることができる。例えば、これらの技術は符号分割多重アクセス（ＣＤＭＡ）ネットワーク、ユニバーサル移動通信システム（ＵＭＴＳ）ネットワーク、無線ローカルエリアネットワーク（ＬＡＮ）、等のために使用されることができる。ＣＤＭＡネットワークはｃｄｍａ２０００のようなラジオアクセス技術（ＲＡＴ）およびＡＮＳＩ−４１のようなネットワーキングプロトコルを実施できる。ＵＭＴＳネットワークは広帯域ＣＤＭＡ（Ｗ−ＣＤＭＡ）および／または移動通信用グローバルシステム（ＧＳＭ（登録商標））のようなＲＡＴを、およびＧＳＭ移動体アプリケーションパート（ＧＳＭ−ＭＡＰ）のようなネットワーキングプロトコルを実施できる。無線ＬＡＮは限定された地理的エリア用の通信カバレッジを提供し、およびＩＥＥＥ８０２．１１ネットワーク、ブルートゥースパーソナルエリアネットワーク（ＢＴ−ＰＡＮ）、等であってもよい。一般に、この中に記述された技術は無線広域ネットワーク（例えば、ＣＤＭＡまたはＵＭＴＳネットワーク）または無線ＬＡＮ（例えば、ＩＥＥＥ８０２．１１ネットワークまたはＢＴ−ＰＡＮ）のために使用されることができる。
【００１５】
図１はその中で通信サービスを得るために無線装置１２０が無線ネットワーク１３０と通信する配置１００を示す。無線装置１２０はまた移動局（ＭＳ）、ユーザ装置（ＵＥ）、ユーザ端末、加入者ユニット、または何か他の術語で呼ばれてもよい。無線ネットワーク１３０は基地局１４２、パケットデータエンティティ１４４、およびＩＰゲートウェイ１５０を含む。基地局１４２は無線装置１２０のための無線通信を提供する。パケットデータエンティティ１４４は基地局１４２とＩＰゲートウェイ１５０との間のパケットの伝送を制御する。ＩＰゲートウェイ１５０は無線ネットワーク１３０内の無線装置のためのデータサービスをサポートする。例えば、ＩＰゲートウェイ１５０は無線装置のためのデータセッションの確立、維持、および終結の責任を負うことができ、およびさらに無線装置にダイナミックなＩＰアドレスを割り当てることができる。ＩＰゲートウェイ１５０はデータネットワーク１６０ａ、インターネット１６０ｂ、および／または他のデータネットワークに連結できる。ＩＰゲートウェイ１５０はこれらのデータネットワークに連結するいろいろなエンティティ（例えば、遠隔ホスト１７０）と通信することができる。
【００１６】
無線ネットワーク１３０はまたラジオネットワーク１４０およびパケットデータネットワークから成るものとして見られることができる。ラジオネットワーク１４０は基地局１４２およびパケットデータエンティティ１４４を含み、および無線通信をサポートする。パケットデータネットワークはＩＰゲートウェイ１５０を含み、およびラジオネットワーク１４０と外部データネットワークとの間のパケット交換通信をサポートする。
【００１７】
無線ネットワーク１３０はＣＤＭＡネットワークであってもよく、その場合にはパケットデータエンティティ１４４はパケット制御機能（ＰＣＦ）と呼ばれ、およびＩＰゲートウェイ１５０はパケットデータサービングノード（ＰＤＳＮ）と呼ばれる。無線ネットワーク１３０はまたＵＭＴＳネットワークであってもよく、その場合にはパケットデータエンティティ１４４はサービングＧＰＲＳサポートノード（ＳＧＳＮ）と呼ばれ、およびＩＰゲートウェイ１５０はゲートウェイＧＰＲＳサポートノード（ＧＧＳＮ）と呼ばれる。無線ネットワーク１３０はまた無線ＬＡＮであってもよい。
【００１８】
図２は無線ネットワーク１３０を介して無線装置１２０と遠隔ホスト１７０との間のデータ通信用の典型的なプロトコルスタック２００を示す。プロトコルスタックはトランスポート層、ネットワーク層、リンク層、および物理層を含む。無線装置１２０と遠隔ホスト１７０とは伝送制御プロトコル（ＴＣＰ）、ユーザデータグラムプロトコル（ＵＤＰ）、またはトランスポート層で何か他のプロトコルを使用して通信できる。ＴＣＰおよびＵＤＰは典型的にネットワーク層でＩＰの上部で動作する。トランスポート層データはＩＰパケット内にカプセル化され、それはラジオネットワーク１４０およびＩＰゲートウェイ１５０を介して無線装置１２０と遠隔ホスト１７０との間で交換される。
【００１９】
無線装置１２０と無線ネットワーク１３０との間のリンク層は典型的に無線ネットワーク技術に依存する。ＣＤＭＡネットワークに関して、リンク層はラジオリンクプロトコル（ＲＬＰ）上でポイントツーポイントプロトコル（ＰＰＰ）で実施される。無線装置１２０はデータセッション用のＩＰゲートウェイ１５０とともにＰＰＰセッションを維持し、およびデータ交換用のＲＬＰによりラジオネットワーク１４０と通信する。ＲＬＰはエアリンクインターフェイス（例えば、ｃｄｍａ２０００）の上部で動作する。ラジオネットワーク１４０は物理層の上部で動作する技術依存インターフェイス（例えば、ＣＤＭＡネットワーク用の“Ｒ−Ｐ”インターフェイス）を介してＩＰゲートウェイ１５０と通信する。ＩＰゲートウェイ１５０はリンク層および物理層上でＩＰを介して遠隔ホスト１７０と通信する。いろいろな層は他の無線ネットワークについて異なってもよい。
【００２０】
図３は無線装置１２０の１実施形態を示す。無線装置１２０では、アプリケーションおよびサービス３２０はソケット３２２およびデータプロトコルスタック３２４上で実行する。ソケットはネットワーク上で走行中の２つのアプリケーション間の双方向通信パスの１つのエンドポイントである。インターネットの環境(context)では、ソケットはＩＰアドレス、トランスポート層でのプロトコル（例えば、ＴＣＰまたはＵＤＰ）、およびトランスポート層プロトコル用のポート番号と関連する。無線装置１２０で走行中の各アプリケーションは１つまたはそれ以上のソケットに関連し、および関連ソケットを介して外部エンティティとデータを交換する。各サービス（例えば、ＦＴＰ、テルネット、等）も１つまたはそれ以上のソケットに関連する。図３に示された実施形態について、データプロトコルスタック３２４はＩＰの上部で動作中のＴＣＰおよび／またはＵＤＰを使用する。一般に、データプロトコルスタックは任意数の層についてプロトコルの任意の組合わせを実行することができる。無線装置１２０はＵｍインターフェイス３２８ａを介して無線ネットワーク１３０と通信し、およびさらにＲｍインターフェイス３２８ｂを介して端末装置と通信することができる。端末装置はラップトップコンピュータ、パーソナルディジタルアシスタント（ＰＤＡ）、または何か他の計算装置であってもよい。
【００２１】
無線装置１２０はＩＰゲートウェイ１５０とともにオープンデータセッションを持つことができるが、しかし散発的にデータを交換することができる。データセッションの間、無線装置は交換すべき（例えば、送信または受信すべき）データがある時はアクティブ状態に入ることができ、および交換すべきデータがない時は休止状態に入ることができる。無線装置はデータアクティビティによってアクティブおよび休止状態の間を移行する。
【００２２】
無線装置１２０はＩＰゲートウェイ１５０および遠隔ホスト１７０とデータを交換するためにラジオネットワーク１４０と通信する。アクティブ状態では、無線装置１２０は（１）ラジオネットワーク１４０からデータを受信するために使用された順方向リンクトラフィックチャネルおよび（２）ラジオネットワーク１４０にデータを送るために使用された逆方向リンクトラフィックチャネルを確立することができる。休止状態では、無線装置はトラフィックチャネルを放棄し、および電池パワーを保護するためにできるだけ多くの回路をパワーダウンできる。
【００２３】
無線装置１２０は休止状態にある間中、無線ネットワーク１３０からＩＰパケットを受信できる。受信ＩＰパケットは無線装置を休止状態から再活性化し、および無線ネットワークとのデータの交換の可能性を見越して無線装置に順方向および／または逆方向リンクのためのトラフィックチャネルを再確立させる。もしも受信ＩＰパケットが勝手に送りつけられて来るＩＰパケットであれば、その時無線装置は典型的にＩＰパケットを中断し、および／またはＴＣＰリセットパケットを送り、および他のいかなるアクションも実行しない。この場合には、トラフィックチャネルを解放して、早めに休止状態に移り戻ることが望ましい。
【００２４】
図４は勝手に送りつけられて来るＩＰパケットについて早めに休止状態に移行するための手順４００のフロー図を示す。初めに、ＩＰパケットは無線ネットワークから受信される（ブロック４１２）。受信ＩＰパケットは勝手に送りつけられて来るＩＰパケットであるかどうかの決定がなされる（ブロック４１４）。この決定はいろいろな基準に基づいてなされてもよい。もしも受信ＩＰパケットが勝手に送りつけられて来るＩＰパケットであると思われ、および他のいかなるイベントも休止状態への移行を妨げない、例えば、他のいかなるアクティビティも発生しないならば、無線装置は早めに休止状態に移行する（ブロック４１６）。
【００２５】
休止状態への早めの移行はいろいろな手法で達成されることができる。静止タイマに基づいて早めに休止状態に移行するためのいくつかの実施形態が下記される。
【００２６】
無線装置１２０はアクティブ状態にある間中、静止タイマを維持することができる。静止タイマはいずれのデータも交換せずにアクティブ状態に止まるべき時間量を決定する。無線装置はＩＰパケットを受信または送信する時に静止タイマを公称値にリセットすることができ、および静止タイマが終了する時に休止状態に入ることができる。静止タイマはデータが交換されていない時には無線装置にトラフィックチャネルを解放させ、したがって無線資源を保護する。
【００２７】
静止タイマのための公称値は典型的に予測データ使用率について良好な性能を提供するように選択される。短い静止タイマ値は無線装置がタイムアウトされ、および余りに早く休止状態に入るという結果になり、それは例えば、遠隔サーバからの遅延応答によって、データのロスという結果になるかもしれない。長い静止タイマ値は無線装置がいずれのデータも交換せずに余りに長い間トラフィックチャネルを維持し、それによって無線資源を浪費するという結果になるかもしれない。公称値は典型的にこれらの２つのファクタの間の折り合いに基づいて選択される。約２０秒の公称値はあるデータ使用率のシナリオの下で良好な性能を提供するために見つけ出された。
【００２８】
無線装置は休止状態の間中、勝手に送りつけられて来るＩＰパケットを受信できる。勝手に送りつけられて来るＩＰパケットは無線装置の再活性化という結果になり、および静止タイマを公称値に設定する。無線装置はその時は休止状態に移り戻ってトラフィックチャネルを解放する前に静止タイマが終了するまで待つ必要があるであろう。
【００２９】
早めの休止状態の１実施形態では、静止タイマは勝手に送りつけられて来るＩＰパケットを受信することの影響を軽減するために複数の値で運用される。（公称値より短い）短縮値は無線装置が休止状態から再活性化される時に静止タイマのために使用されてもよい。短縮値は無線装置を休止状態に戻らせ、およびもしも再活性化が勝手に送りつけられて来るＩＰパケットに起因したならばトラフィックチャネルをより早く解放させる。公称値は無線装置が無線ネットワークとデータを交換している時には静止タイマのために使用されてもよい。公称値は無線装置に上記された２つのファクタによって所望の動作を達成させる。短縮値は、例えば、上記された２つのファクタについて、良好な性能を達成するように選択されてもよい。例えば、公称値は２０秒であってもよく、および短縮値は５秒であってもよい。短縮値はまた勝手に送りつけられて来るトラフィック、ネットワーク動作、等のための典型的なパターンに基づいて選択される構成可能な値であってもよい。構成可能な短縮値はまた、例えば、０から５秒の、所定の範囲内の値であるように限定されてもよい。
【００３０】
図５は、１実施形態に従って、静止タイマのための短縮および公称値の使用を図示する。この実施形態について、短縮値はウェイトピリオドと呼ばれる、無線装置が休止状態から再活性化される後の所定の持続時間のために使用され、および公称値はこのウェイトピリオドの後で使用される。ウェイトピリオドは良好な性能を提供するように選択される固定値であってもよい。例えば、ウェイトピリオドは短縮値または公称値と等しくてもよい。または、ウェイトピリオドは勝手に送りつけられて来るトラフィックのための典型的なパターンに基づいて選択される構成可能な値であってもよい。ウェイトタイマは短縮値が使用される時の経過時間の追跡を続けるために使用される。ウェイトピリオドの後に公称値を使用することによって、無線装置は（１）ネットワーク生起のトラフィックおよび移動体生起のトラフィックを同じ手法で取り扱い、および（２）静止が休止状態という結果になって、トラフィックチャネルをいつ解放せねばならないかの点から両タイプのトラフィックについて同じ動作を提供することができる。
【００３１】
図６は静止タイマを複数の値で運用するための手順６００のフロー図である。初めに、ＩＰパケットは無線ネットワークから受信される（ブロック６１２）。受信ＩＰパケットが無線装置を休止状態から再活性化させるかどうかの決定がなされる（ブロック６１４）。もしも答えが‘イエス’ならば、その時静止タイマ値は短縮値に等しく設定され（ブロック６１６）、およびウェイトタイマはウェイトピリオドにリセットされる（ブロック６１８）。そうではなく、ブロック６１４について答えが‘ノー’ならば、その時静止タイマ値は公称値に等しく設定される（ブロック６２０）。静止タイマはその後現在の静止タイマ値にリセットされ、それは無線装置が受信ＩＰパケットによって休止状態から再活性化されたかどうかによって短縮値または公称値であってもよい（ブロック６２２）。静止タイマおよびウェイトタイマは各々タイマ内にロードされた値に到達する時にリセットまたは終了している後にカウントダウンまたはアップする。
【００３２】
その後は、もう１つのＩＰパケットが無線ネットワークで交換されるかどうかの決定が（例えば、周期的に）なされる（ブロック６２４）。もしも答えが‘イエス’ならば、その時手順はブロック６２２に戻り、および静止タイマは現在の静止タイマ値にリセットされる。そうではなく、もしもブロック６２４について答えが‘ノー’ならば、その時静止タイマは終了したかどうかの決定がなされる（ブロック６２６）。もしもブロック６２６について答えが‘ノー’ならば、その時ウェイトタイマは終了したかどうかの決定がなされる（ブロック６３０）。もしもブロック６３０について答えが‘イエス’ならば、その時静止タイマ値は公称値に等しく設定され、それはこの点から静止タイマのために使用される（ブロック６３２）。ブロック６３２から、およびまた、もしもブロック６３０について答えが‘ノー’ならば、手順はブロック６２４に戻る。
【００３３】
もしも静止タイマが終了し、および答えがブロック６２６について‘イエス’ならば、その時無線装置は休止状態を開始し、およびトラフィックチャネルを解放する（ブロック６２８）。手順はその後終結する。図６には示されないが、無線装置がいずれかの理由のために休止に行く時には静止タイマ値は公称値に等しく設定されてもよい。これはもしも無線装置がその後で無線ネットワークにＩＰパケットを送るならば公称値が使用されることを保証する。
【００３４】
手順６００に関して、休止状態からの再活性化を引き起こす受信ＩＰパケットはまた静止タイマのために短縮値が使用されているという結果にもなる。もしも受信ＩＰパケットが勝手に送りつけられて来るＩＰパケット（例えば、ＭＳ  ＲＰＣパケット）であり、および他のいかなるＩＰパケットもその後に交換されないならば、その時無線装置は短縮期間が経過した後に休止状態を開始し、および静止タイマは終了する。この休止状態への早めの移行はトラフィックチャネルが不必要に確立される時間の量を減少させる。例えば、もしも公称値が２０秒であり、および短縮値が５秒であれば、その時休止状態は１５秒まで早めに開始されてもよい。早めの休止状態は無線ネットワークに関する無線資源と無線装置に関する電池パワーとの両者を保護する。反対に、もしも受信ＩＰパケットが正当なＩＰパケットであれば、その時他のＩＰパケットはその後に交換されてもよく、および静止タイマは各ＩＰパケット交換の後にリセットされるであろう。もしも無線装置が全ウェイトピリオドの間休止状態に行かなければ、その時は公称値が静止タイマのために使用される。無線装置はその後従来の場合と同じ手法で動作するであろう。
【００３５】
手順６００は、（１）静止タイマが市内に向かう(inbound)勝手に送りつけられて来るＩＰパケットによって頻繁にリセットされないように、勝手に送りつけられて来るＩＰパケットは散発的に受信される、および（２）静止タイマが郊外に向かう(outbound)ＩＰパケットによってリセットされないように、次のＩＰパケットは勝手に送りつけられて来るＩＰパケットを受信することに応じて交換されない、という仮定を信頼する。手順６００は実施するのに容易である。しかしながら、性能は基本的な仮定の確度に依存する。
【００３６】
図６は２つの値が静止タイマのために使用され、および短縮値が全ウェイトピリオドの間使用される特定の１実施形態を示す。もう１つの実施形態では、短縮値は受信ＩＰパケットが休止状態からの再活性化を引き起こす時はいつでも使用され、および公称値は正当なＩＰパケットが送受される時はいつでも使用される。受信ＩＰパケットはもしも、例えば、それが無線装置で走行中のアプリケーションまたはサービスに引き渡されれば、正当なＩＰパケットであるとみなされることができる。ウェイトタイマはこの実施形態については必要ではない。なおもう１つの実施形態では、短縮値は、どちらが最初に発生しても、ウェイト持続期間の間または正当なＩＰパケットが受信されるまで使用される。この実施形態に関しては、ウェイとタイマは正当なＩＰパケットを受信した時に終了する。なおもう１つの実施形態では、短縮値は休止状態からの再活性化を引き起こす第１の受信ＩＰパケットのためにのみ使用され、および公称値はその後で使用される。この実施形態に関しては、ウェイトタイマを維持する必要はない。
【００３７】
なおもう１つの実施形態では、２つ以上の値が静止タイマのために使用される。例えば、各受信ＩＰパケットは、静止タイマが最短値から公称値に、漸進的により長い値でリセットされているという結果になることができる。第１の受信ＩＰパケットは静止タイマが最短値でリセットされるという結果になることができ、次の受信ＩＰパケットは静止タイマがより長い値でリセットされるという結果になることができる、等、および第ｎの受信ＩＰパケットは静止タイマが公称値でリセットされるという結果になることができる。一般に、任意番の値が静止タイマのために使用されることができ、および各タイマ値は任意の手法で適用されることができる。
【００３８】
早めの休止状態のもう１つの実施形態では、静止タイマは検出されたトラフィックに基づいて選択的にリセットされる。単一の値または複数の値が静止タイマのために使用されることができる。静止タイマは市内に向かうＩＰパケットの受信時にまたは郊外に向かうＩＰパケットの送信時に自動的にリセットされない。そうではなくて、静止タイマはＩＰパケットが正当なＩＰパケットであるとみなされる時はいつでも選択的にリセットされる。
【００３９】
図７は静止タイマを選択的にリセットするための手順７００のフロー図を示す。初めに、ＩＰパケットは無線ネットワークから受信される（ブロック７１２）。この受信ＩＰパケットは休止状態からの再活性化を引き起こしてもまたは引き起こさなくてもよい。無線装置内の受信ＩＰパケットのための行先はその後決定される（ブロック７１４）。これは（１）受信ＩＰパケット用の行先ポート番号を検査すること、および（２）アプリケーションまたはサービスがこのポート番号に従っているかどうかを決定することによって達成される。例えば、ウェブアプリケーションは無線装置で走行中であってもよく、およびデータを送り出すために特定のポートを使用することができる。このポートのために予定された市内に向かうＩＰパケットはウェブアプリケーションに引き渡されるであろう。ウェブアプリケーションはトラフィックを黙って求めたものとして考察されてもよい。このように市内に向かうＩＰパケットは、もしもそれが無線装置で走行中のアプリケーションまたはサービスと関連するポートのために予定されるならば、正当なＩＰパケットとみなされることができる。
【００４０】
その後受信ＩＰパケットは無線装置で走行中のアプリケーションまたはサービスに引き渡されたかどうかの決定がなされる（ブロック７１６）。もしも答えが‘イエス’ならば、その時受信ＩＰパケットは正当なＩＰパケットであると思われ、および静止タイマは公称値にリセットされる（ブロック７１８）。そうではなく、もしも受信ＩＰパケットがアプリケーションまたはサービスに引き渡されないならば、その時静止タイマを継続させる（即ち、リセットしなくて）もよく、または短縮値にリセットされてもよい（ブロック７２０）。ブロック７１８および７２０の後に、手順はブロック７２２に進む。
【００４１】
ブロック７２２では、郊外に向かうＩＰパケットが無線装置によって無線ネットワークに送られるかどうかの決定が（例えば、周期的に）なされる。もしも答えが‘イエス’ならば、その時手順はブロック７１８に戻り、および静止タイマは公称値にリセットされる。さもなければ、市内に向かうＩＰパケットが無線ネットワークから受信されるかどうかの決定がなされる（ブロック７２４）。もしも答えが‘イエス’ならば、その時は受信ＩＰパケットのための行先を決定するために手順はブロック７１４に戻る。もしもＩＰパケットが受信されなかった、およびブロック７２４について答えが‘ノー’ならば、その時は静止タイマが終了したかどうかの決定がなされる（ブロック７２６）。もしも答えが‘ノー’ならば、その時は手順はブロック７２２に戻る。そうではなく、もしも静止タイマが終了し、およびブロック７２６について答えが‘イエス’ならば、その時は無線装置は休止状態を開始し、およびトラフィックチャネルを解放する（ブロック７２８）。手順はその後終結する。
【００４２】
手順７００に関して、静止タイマは正当な受信ＩＰパケットまたは郊外に向かうＩＰパケットのどちらかによって公称値にリセットされる。静止タイマはこのように正当なトラフィックが検出される時はいつでも公称値にリセットされる。無線装置で走行中のアプリケーションまたはサービスに引き渡されない勝手に送りつけられて来るＩＰパケットによって、静止タイマはリセットされず、または短縮値にリセットされ、それはその後休止状態への早めの移行という結果になるかもしれない。
【００４３】
図７に示されたように、手順７００は休止状態からの再活性化を引き起こす受信ＩＰパケットによってトリガされることができる。一般に、手順７００は無線ネットワークまたは無線装置によって引き起こされた再活性化のためにおよび市内に向かうトラフィックおよび郊外に向かうトラフィックの両者のために使用されることができる。手順７００は各受信ＩＰパケットが正当かまたは勝手に送りつけられて来るかを決定するためにより多くの処理を必要とする。しかしながら、手順７００は各受信ＩＰパケットの正当性を確かめるためにある試みがなされるので、早めに休止状態を開始することでより正確であることができる。
【００４４】
静止タイマおよびウェイトタイマに関する値は固定値か構成可能な値であってもよい。例えば、固定値は無線ネットワークのために存在する勝手に送りつけられて来るトラフィックの評価に基づいて選択されてもよい。固定値の使用はタイマの実施を単純化することができる。構成可能な値は、性能を改善できる、動作環境への適応を考慮に入れる。例えば、タイマ値は勝手に送りつけられて来るＩＰパケットの性質、無線ネットワークの動作、等に基づいて決定されることができる。
【００４５】
図６および７は勝手に送りつけられて来るＩＰパケットを識別することおよび勝手に送りつけられて来るＩＰパケットを受信することの影響が軽減されるように早めに休止状態に移行することの特別の実施形態を示す。一般に、勝手に送りつけられて来るＩＰパケットはいろいろな手法で識別されることができる。例えば、受信ＩＰパケットは、もしもそれが（１）図６に関して記述されたように、無線装置を休止状態から再活性化させる、（２）図７に関して記述されたように、無線装置で走行中のアプリケーションまたはサービスに引き渡されない、（３）無線装置によって無応答または単一の拒絶という結果になる、または（４）何か他の条件または基準を満足するならば、勝手に送りつけられて来るＩＰパケットであるとみなされることができる。もしあるなら、勝手に送りつけられて来るＩＰパケットはまた次のデータ交換のために必要な時間の量によって識別されることもできる。例えば、もしも受信ＩＰパケットに続くデータ交換が所定の持続時間より短いならば、その時は受信ＩＰパケットは勝手に送りつけられて来るＩＰパケットであるとみなされることができる。勝手に送りつけられて来るＩＰパケットについてのデータ交換は典型的に正当なＩＰパケットのためのデータ交換と比較して全く短い。とにかく、勝手に送りつけられて来るＩＰパケットとしての受信ＩＰパケットの検出はより早めに休止状態を開始し、よって無線資源および電池パワーの両者を保護するために使用されることができる。
【００４６】
図８は無線装置１２０の１実施形態のブロック図を示す。無線装置１２０は無線ネットワーク１３０との通信用の無線モデム、コントローラ８４０、メモリ８４２、およびタイマ８４４を含む。伝送パス上では、無線装置１２０によって送られるべきデータおよびシグナリングが符号器８２２によって処理（例えば、フォーマット、符号化、およびインターリーブ）され、およびさらにデータチップのストリームを発生するために変調器（Ｍｏｄ）８２４によって処理（例えば、変調、拡散、チャネル化、およびスクランブル）される。送信器ユニット（ＴＭＴＲ）８３２はその後、アンテナ８３６を介して送信される、逆方向リンク信号を発生するためにデータチップストリームを調節（例えば、アナログへの変換、フィルタ、増幅、および周波数アップコンバート）する。逆方向パス上では、無線ネットワーク１３０内の基地局によって送信された順方向リンク信号はアンテナ８３６によって受信され、および受信器ユニット（ＲＣＶＲ）８３８に供給される。受信器ユニット８３８はデータサンプルを発生するために受信信号を調節（例えば、フィルタ、増幅、周波数ダウンコンバート、およびディジタル化）する。復調器（Ｄｅｍｏｄ）８２６は記号推定値を得るためにサンプルを処理（例えば、デスクランブル、逆拡散、チャネル化、および復調）する。復号器８２８は復号データを得るために記号推定値をさらに処理（例えば、デ・インターリーブおよび復号）する。符号器８２２、変調器８２４、復調器８２６、および復号器８２８はモデムプロセッサ８２０によって実施されることができる。これらのユニットは無線ネットワーク１３０によって使用された無線技術（例えば、Ｗ−ＣＤＭＡまたはｃｄｍａ２０００）に従って処理を実行する。
【００４７】
コントローラ８４０は無線装置１２０内のいろいろなユニットの動作を指示し、および図３に示されたアプリケーションを実行し、およびプロトコルスタックを実施する。メモリユニット８４２はコントローラ８４０および他のユニットによって使用されたプログラム符号およびデータを蓄積する。タイマ８４４は静止タイマ、ウェイトタイマ、および／または他のタイマを実施することができる。
【００４８】
コントローラ８４０は勝手に送りつけられて来るＩＰパケットを受信することの影響を軽減するために図４，６および７内に示された手順４００，６００および／または７００を実施できる。コントローラ８４０は勝手に送りつけられて来るＩＰパケットを識別するために使用された適切な情報を受信できる。この情報は、例えば、受信ＩＰパケットが休止状態からの再活性化を引き起こすかどうかに関する表示、受信ＩＰパケットに関する行先ポート番号、等を含んでもよい。コントローラ８４０は受信情報に基づいて勝手に送りつけられて来るＩＰパケットを識別し、および、例えば、図６および／または７に関して上述されたように、検出トラフィックに基づいて静止タイマおよび／またはウェイとタイマを運用する。コントローラ８４０はもしも勝手に送りつけられて来るＩＰパケットが検出されれば早めに休止状態を開始できる。
【００４９】
この中に記述された技術はいろいろな手法によって実施されることができる。例えば、これらの技術はハードウェア、ソフトウェア、またはそれの組合わせで実施されることができる。ハードウェアの実施の形態について、勝手に送りつけられて来るＩＰパケットを識別し、および休止状態を早めに開始するために使用された処理ユニットは１つまたはそれ以上の特定用途向け集積回路（ＡＳＩＣ）、ディジタル信号プロセッサ（ＤＳＰ）、ディジタル信号処理装置（ＤＳＰＤ）、プログラマブル論理装置（ＰＬＤ）、フィールドプログラマブルゲートアレイ（ＦＰＧＡ）、プロセッサ、コントローラ、マイクロコントローラ、マイクロプロセッサ、電子装置、この中に記述された機能を実行するように設計された他の電子ユニット、またはそれの組合わせの内部で実施されることができる。
【００５０】
ソフトウェアの実施の形態について、技術は、この中に記述された機能を実行するモジュール（例えば、手順、機能、等）で実施されることができる。ソフトウェア符号はメモリユニット（例えば、図８におけるメモリユニット８４２）に蓄積され、およびプロセッサ（例えば、コントローラ８４０）によって実行されることができる。メモリユニットはプロセッサ内でまたはプロセッサと無関係に実施されることができる。
【００５１】
開示された実施形態の前の説明はこの分野の任意の技術者が本発明を製作または使用することを可能とするように提供される。これらの実施形態へのいろいろな変更は、この分野の技術者にはたやすく明白であるだろうし、およびこの中に定義された包括的な原理はこの発明の精神または範囲から逸脱すること無しに他の実施形態に適用されてもよい。従って、本発明はこの中に示された実施形態に限定されるつもりはなく、しかしむしろこの中に開示された原理および新規な特徴と矛盾しない最も広い範囲が許容されるべきである。
【符号の説明】
【００５２】
１２０…無線装置、１３０…無線ネットワーク、１４０…ラジオネットワーク、１４２…基地局、１４４…パケットデータエンティティ、１５０…ＩＰゲートウェイ、１６０ａ…データネットワーク、１６０ｂ…インターネット、１７０…遠隔ホスト
【図１】
2011176859.tif 000003
【図２】
2011176859.tif 000004
【図３】
2011176859.tif 000005
【図４】
2011176859.tif 000006
【図５】
2011176859.tif 000007
【図６】
2011176859.tif 000008
【図７】
2011176859.tif 000009
【図８】
2011176859.tif 000010
【手続補正書】
【提出日】平成23年5月9日(2011.5.9)
【手続補正１】
【補正対象書類名】特許請求の範囲
【補正対象項目名】全文
【補正方法】変更
【補正の内容】
【特許請求の範囲】
【請求項１】
無線装置であって、
休止状態の間に無線ネットワークからパケットを受信するように動作するプロセッサと、および
前記受信パケットが前記無線ネットワークから勝手に送りつけられて来るパケットであるかどうかを決定し、および前記受信パケットが勝手に送りつけられて来るパケットであるとみなされる場合、早めに休止状態へ移り戻ることを開始するように動作するコントローラと、
を含む無線装置。
【請求項２】
前記受信パケットが前記無線装置において実行中のアプリケーションまたはサービスに引き渡されない場合、前記コントローラは、前記受信パケットが勝手に送りつけられて来るパケットであると宣言するように動作する、請求項１記載の無線装置。
【請求項３】
前記受信パケットが無応答または拒絶応答という結果になる場合、前記コントローラは、前記受信パケットが勝手に送りつけられて来るパケットであると宣言するように動作する、請求項１記載の無線装置。
【請求項４】
次のデータ交換が、もしあるならば、所定の持続時間より短いとみなされる場合、前記コントローラは、前記受信パケットが勝手に送りつけられて来るパケットであると宣言するように動作する、請求項１記載の無線装置。
【請求項５】
前記受信パケットが勝手に送りつけられて来るパケットであり、および静止タイマの終了時に休止状態への移行を開始するとみなされる場合、前記コントローラは、前記静止タイマを短縮値にリセットするように動作する、請求項１記載の無線装置。
【請求項６】
前記受信パケットが勝手に送りつけられて来るパケットであり、および静止タイマの終了時に休止状態への移行を開始することはないとみなされる場合、前記コントローラは、前記静止タイマを所定の値にリセットするように動作する、請求項１記載の無線装置。
【請求項７】
休止状態の間に無線ネットワークからパケットを受信することと、
前記受信パケットが前記無線ネットワークから勝手に送りつけられて来るパケットであるかどうかを決定することと、および
前記受信パケットが勝手に送りつけられて来るパケットであるとみなされる場合、早めに休止状態に移り戻ることと
を含む方法。
【請求項８】
前記受信パケットが勝手に送りつけられて来るパケットであるかどうかを前記決定することは、
前記受信パケットがアプリケーションまたはサービスに引き渡されない場合、前記受信パケットが勝手に送りつけられて来るパケットであると宣言することを含む、請求項7記載の方法。
【請求項９】
前記受信パケットが勝手に送りつけられて来るパケットであるとみなされる場合、静止タイマを短縮値にリセットすることと、および
前記静止タイマの終了時に休止状態に移行することと
をさらに含む請求項７記載の方法。
【請求項１０】
休止状態の間に無線ネットワークからパケットを受信するための手段と、
前記受信パケットが前記無線ネットワークから勝手に送りつけられて来るパケットであるかどうかを決定するための手段と、および
前記受信パケットが勝手に送りつけられて来るパケットであるとみなされる場合、早めに休止状態に移り戻るための手段と
を含む装置。
【請求項１１】
前記受信パケットがアプリケーションまたはサービスに引き渡されない場合、前記受信パケットが勝手に送りつけられて来るパケットであると宣言するための手段をさらに含む請求項１０記載の装置。
【請求項１２】
前記受信パケットが勝手に送りつけられて来るパケットであるとみなされる場合、静止タイマを短縮値にリセットするための手段と、および
前記静止タイマの終了時に休止状態に移行するための手段と
を含む請求項１０記載の装置。
【請求項１３】
休止状態の間に無線ネットワークからの受信パケットが前記無線ネットワークから勝手に送りつけられて来るパケットであるかどうかを決定する動作、および
前記受信パケットが勝手に送りつけられて来るパケットであるとみなされる場合、早めに休止状態へ移り戻ることを開始する動作
を無線装置内で行うことができる命令を蓄積するためのプロセッサ可読媒体。
【請求項１４】
前記受信パケットが勝手に送りつけられて来るパケットであるとみなされる場合に、静止タイマを短縮値にリセットするため、および
前記静止タイマの終了時に休止状態への移行を開始するために、
実行可能な命令をさらに蓄積するための請求項１３記載のプロセッサ可読媒体。
【請求項１５】
休止状態の間に無線ネットワークからパケットを受信する動作を行うプロセッサと、および
前記受信パケットが無線ネットワークから勝手に送りつけられて来るパケットであるかどうかを決定する動作、前記受信パケットが勝手に送りつけられて来るパケットであるとみなされる場合、所定の持続時間の間静止タイマのために第１のタイマ値を使用する動作、および、前記所定の持続時間の後に前記静止タイマのために第２のタイマ値を使用する動作を行うコントローラと
を含む無線装置。
【請求項１６】
前記コントローラは、前記所定の持続時間の間に受信された各パケットについて前記静止タイマを前記第１のタイマ値にリセットする動作を行う、請求項１５記載の装置。
【請求項１７】
前記コントローラは、前記所定の持続時間の後に受信された各パケットについて前記静止タイマを前記第２のタイマ値にリセットする動作を行う、請求項１５記載の装置。
【請求項１８】
前記所定の持続時間は、前記第１のタイマ値または前記第２のタイマ値に等しい、請求項１５記載の装置。
【請求項１９】
前記コントローラは、前記静止タイマの終了時に休止状態への移行を開始する動作を行う、請求項１５記載装置。
【請求項２０】
前記第１のタイマ値は、設定可能である、請求項１５記載の装置。
【請求項２１】
休止状態の間に受信されるパケットが無線ネットワークから勝手に送りつけられて来るパケットであるかどうかを決定することと、
前記受信パケットが勝手に送りつけられて来るパケットであるとみなされる場合、静止タイマのために第１のタイマ値を使用することと、ここにおいて、前記第１のタイマ値は、所定の持続時間のために使用される、および
前記所定の持続時間の後に前記静止タイマのために第２のタイマ値を使用することと
を含む方法。
【請求項２２】
前記所定の持続時間の間に受信された各パケットについて前記静止タイマを前記第１のタイマ値にリセットすることをさらに含む、請求項２１記載の方法。
【請求項２３】
前記所定の持続時間の後に受信された各パケットについて前記静止タイマを前記第２のタイマ値にリセットすることをさらに含む、請求項２１記載の方法。
【請求項２４】
前記所定の持続時間は、前記第１のタイマ値または前記第２のタイマ値に等しい、請求項２１記載の方法。
【請求項２５】
前記静止タイマの終了時に休止状態に移行することをさらに含む、請求項２１記載の方法。
【請求項２６】
前記拒絶応答は、伝送制御プロトコル（TCP）リセットパケットを送ることを含む、請求項３記載の無線装置。
【請求項２７】
前記静止タイマの前記短縮値は、ネットワーク条件に基づいて設定可能である、請求項５に記載の無線装置。
【請求項２８】
前記静止タイマの前記短縮値は、１ないし５秒の範囲内である、請求項２７記載の無線装置。
【請求項２９】
前記静止タイマの前記所定の値は、ネットワーク条件に基づいて設定可能である、請求項６記載の無線装置。
【手続補正２】
【補正対象書類名】明細書
【補正対象項目名】００５１
【補正方法】変更
【補正の内容】
【００５１】
開示された実施形態の前の説明はこの分野の任意の技術者が本発明を製作または使用することを可能とするように提供される。これらの実施形態へのいろいろな変更は、この分野の技術者にはたやすく明白であるだろうし、およびこの中に定義された包括的な原理はこの発明の精神または範囲から逸脱すること無しに他の実施形態に適用されてもよい。従って、本発明はこの中に示された実施形態に限定されるつもりはなく、しかしむしろこの中に開示された原理および新規な特徴と矛盾しない最も広い範囲が許容されるべきである。
以下に、本願出願の当初の特許請求の範囲に記載された発明を付記する。
［1］無線ネットワークからパケットを受信するように動作するプロセッサと、および
前記受信パケットが前記無線ネットワークから要求されない勝手に送りつけられて来るパケットであるかどうかを決定し、および前記受信パケットが勝手に送りつけられて来るパケットであるとみなされる場合、早めに休止状態への移行を開始するように動作するコントローラと、
を含む無線装置。
［2］前記受信パケットが休止状態からの移行を引き起こす場合、前記コントローラは、前記受信パケットが勝手に送りつけられて来るパケットであると宣言するように動作する、［1］記載の無線装置。
［3］前記受信パケットが前記無線装置において実行中のアプリケーションまたはサービスに引き渡されない場合、前記コントローラは、前記受信パケットが勝手に送りつけられて来るパケットであると宣言するように動作する、［1］記載の無線装置。
［4］前記受信パケットが無応答または拒絶応答という結果になる場合、前記コントローラは、前記受信パケットが勝手に送りつけられて来るパケットであると宣言するように動作する、［1］記載の無線装置。
［5］次のデータ交換が、もしあるならば、所定の持続時間より短いとみなされる場合、前記コントローラは、前記受信パケットが勝手に送りつけられて来るパケットであると宣言するように動作する、［1］記載の無線装置。
［6］前記受信パケットが勝手に送りつけられて来るパケットであり、および静止タイマの終了時に休止状態への移行を開始するとみなされる場合、前記コントローラは、前記静止タイマを短縮値にリセットするように動作する、［1］記載の無線装置。
［7］前記受信パケットが勝手に送りつけられて来るパケットであり、および静止タイマの終了時に休止状態への移行を開始することはないとみなされる場合、前記コントローラは、前記静止タイマを所定の値にリセットするように動作する、［1］記載の無線装置。
［8］無線ネットワークからパケットを受信することと、
前記受信パケットが前記無線ネットワークから要求されない勝手に送りつけられて来るパケットであるかどうかを決定することと、および
前記受信パケットが勝手に送りつけられて来るパケットであるとみなされる場合、早めに休止状態に移行することと
を含む方法。
［9］前記受信パケットが勝手に送りつけられて来るパケットであるかどうかを前記決定することは、
前記受信パケットが休止状態からの移行を引き起こす場合、前記受信パケットが勝手に送りつけられて来るパケットであると宣言することを含む、［8］記載の方法。
［10］前記受信パケットが勝手に送りつけられて来るパケットであるかどうかを前記決定することは、
前記受信パケットがアプリケーションまたはサービスに引き渡されない場合、前記受信パケットが勝手に送りつけられて来るパケットであると宣言することを含む、［8］記載の方法。
［11］前記受信パケットが勝手に送りつけられて来るパケットであるとみなされる場合、静止タイマを短縮値にリセットすることと、および
前記静止タイマの終了時に休止状態に移行することと
をさらに含む［8］記載の方法。
［12］無線ネットワークからパケットを受信するための手段と、
前記受信パケットが前記無線ネットワークから要求されない勝手に送りつけられて来るパケットであるかどうかを決定するための手段と、および
前記受信パケットが勝手に送りつけられて来るパケットであるとみなされる場合、早めに休止状態に移行するための手段と
を含む装置。
［13］前記受信パケットが休止状態からの移行を引き起こす場合、前記受信パケットが勝手に送りつけられて来るパケットであると宣言するための手段をさらに含む［12］記載の装置。
［14］前記受信パケットがアプリケーションまたはサービスに引き渡されない場合、前記受信パケットが勝手に送りつけられて来るパケットであると宣言するための手段をさらに含む［12］記載の装置。
［15］前記受信パケットが勝手に送りつけられて来るパケットであるとみなされる場合、静止タイマを短縮値にリセットするための手段と、および
前記静止タイマの終了時に休止状態に移行するための手段と
を含む［12］記載の装置。
［16］無線ネットワークからの受信パケットが前記無線ネットワークから要求されない勝手に送りつけられて来るパケットであるかどうかを決定する動作、および
前記受信パケットが勝手に送りつけられて来るパケットであるとみなされる場合、早めに休止状態への移行を開始する動作
を無線装置内で行うことができる命令を蓄積するためのプロセッサ可読媒体。
［17］前記受信パケットが勝手に送りつけられて来るパケットであるとみなされる場合、静止タイマを短縮値にリセットする動作、および
前記静止タイマの終了時に休止状態への移行を開始する動作
を実行可能な命令をさらに蓄積するための［16］記載のプロセッサ可読媒体。
［18］無線ネットワークからパケットを受信する動作を行うプロセッサと、および
前記受信パケットが無線ネットワークから勝手に送りつけられて来るパケットであるかどうかを決定する動作、前記受信パケットが勝手に送りつけられて来るパケットであるとみなされる場合、所定の持続時間の間静止タイマのために第１のタイマ値を使用する動作、および、前記所定の持続時間の後に前記静止タイマのために第２のタイマ値を使用する動作を行うコントローラと
を含む無線装置。
［19］前記コントローラは、前記所定の持続時間の間に受信された各パケットについて前記静止タイマを前記第１のタイマ値にリセットする動作を行う、［18］記載の装置。
［20］前記コントローラは、前記所定の持続時間の後に受信された各パケットについて前記静止タイマを前記第２のタイマ値にリセットする動作を行う、［18］記載の装置。
［21］前記所定の持続時間は、前記第１のタイマ値または前記第２のタイマ値に等しい、［18］記載の装置。
［22］前記コントローラは、前記静止タイマの終了時に休止状態への移行を開始する動作を行う、［18］記載装置。
［23］前記第１のタイマ値は、設定可能である、［18］記載の装置。
［24］受信パケットが無線ネットワークから要求されない勝手に送りつけられて来るパケットであるかどうかを決定することと、
前記受信パケットが勝手に送りつけられて来るパケットであるとみなされる場合、静止タイマのために第１のタイマ値を使用することと、ここにおいて、前記第１のタイマ値は、所定の持続時間のために使用される、および
前記所定の持続時間の後に前記静止タイマのために第２のタイマ値を使用することと
を含む方法。
［25］前記所定の持続時間の間に受信された各パケットについて前記静止タイマを前記第１のタイマ値にリセットすることをさらに含む、［24］記載の方法。
［26］前記所定の持続時間の後に受信された各パケットについて前記静止タイマを前記第２のタイマ値にリセットすることをさらに含む、［24］記載の方法。
［27］前記所定の持続時間は、前記第１のタイマ値または前記第２のタイマ値に等しい、［24］記載の方法。
［28］前記静止タイマの終了時に休止状態に移行することをさらに含む、［24］記載の方法。
【外国語明細書】
2011176859000001.pdf